(57)【要約】【課題】アルファベット文字が探しやすく、入力が容易な携帯電話におけるアルファベット文字の配列方法の提供。【解決手段】  携帯電話の複数個のボタンへのアルファベット文字の配置において、母音＋ｙとｙ以外の子音とを分けて配置したことを特徴とするアルファベット文字の配列方法；下記を特徴とする配列方法：（１）母音＋ｙとｙ以外の子音とを分けてボタンに配置する；及び（２）子音については、音性上近い文字を一つのボタンに配置する；並びにこれらの配列方法で配置されたアルファベット文字を含む携帯電話。【選択図】図１
2009020851.tif 000002
【特許請求の範囲】
【請求項１】
複数個のアルファベット文字用ボタンを有する携帯電話において、複数個の該ボタンに母音＋ｙとｙ以外の子音とを分けて配置したことを特徴とする携帯電話。
【請求項２】
複数個のアルファベット文字用ボタンを有する携帯電話において、下記に従ってアルファベット文字を配置したことを特徴とする携帯電話：
（１）母音＋ｙとｙ以外の子音とを分けてボタンに配置する；及び
（２）子音については、音性上近い文字を一つのボタンに配置する。
【請求項３】
更に、子音・母音とも、一単語内で隣り同士になる頻度の低い文字同士を一つのボタンに割り当ることを特徴とする、請求項２記載の携帯電話。
【請求項４】
携帯電話の複数個のボタンへのアルファベット文字の配置において、母音＋ｙとｙ以外の子音とを分けて配置したことを特徴とするアルファベット文字の配列方法。
【請求項５】
携帯電話の複数個のボタンへのアルファベット文字の配列において、下記を特徴とする配列方法：
（１）母音＋ｙとｙ以外の子音とを分けてボタンに配置する；及び
（２）子音については、音性上近い文字を一つのボタンに配置する。
【請求項６】
更に、子音・母音とも、一単語内で隣り同士になる頻度の低い文字同士を一つのボタンに割り当ることを特徴とする、請求項５記載の配列方法。
【発明の詳細な説明】
【技術分野】
【０００１】  本発明は携帯電話のボタンに割り当てられたアルファベット文字の新規な配列方法、及びそれを含む携帯電話に関するものである。
【背景技術】
【０００２】  従来、携帯電話におけるアルファベットはＡＢＣ順にボタン配列されている。具体的には、数字の２のボタンに”ＡＢＣ”の文字；３のボタンに”ＤＥＦ”の文字；４のボタンに”ＧＨＩ”の文字；５のボタンに”ＪＫＬ”の文字；６のボタンに”ＭＮＯ”の文字；７のボタンに“ＰＱＲＳ”の文字；８のボタンに“ＴＵＶ”の文字；９のボタンに“ＷＸＹＺ”の文字が配置されている。【０００３】  単純にａ〜ｚまでを順に配置しており、文字の音性の特徴、子音、母音の区別を無視して配置されている。そのため、通常入力及びＴ９入力のいずれでも、文字を打ち込むのが不便であった。【０００４】  なお、Ｔ９入力とは、入力したい単語をその構成される最初の文字から順番に、その文字が載っているボタンを一回ずつ打っていく方法である。例えば、ＹＯＫＯと打つ時に、１番目に、Ｙの載っている９（ＷＸＹＺ）ボタンを一回押し、２番目にＯの載っている６（ＭＮＯ）ボタンを１回押し、３番目にＫの載っている５（ＪＫＬ）ボタンを１回押し、４番目にＯの載っている６（ＭＮＯ）ボタンを１回押して、全部で４回押して、いくつかの表示された単語の中からＹＯＫＯを選択していく方法である。
【発明の開示】
【発明が解決しようとする課題】
【０００５】  従来のボタン配列における通常入力においては、日本語、英語、フランス語、ドイツ語、スペイン語等の一単語内における隣同士になる文字が、同一ボタンになる頻度が高く、一単語内で一ボタンを一回打ったあと、カーソルを移動して、もう一度同じボタンを打たなければならない。また文字の音性の特徴・子音・母音を無視して配置されていることから、文字が捜しにくく、Ｔ９入力でも、暗記しないと見つけにくい、等の問題があった。
従って、本発明の目的は、アルファベット文字が探しやすく、入力時間が容易な携帯電話におけるアルファベット文字の配列方法を提供することである。
【課題を解決するための手段】
【０００６】  本発明は、携帯電話の複数個のボタンへのアルファベット文字の配置において、母音＋ｙとｙ以外の子音とを分けて配置したことを特徴とするアルファベット文字の配列方法を提供する。【０００７】  また、本発明は、携帯電話の複数個のボタンへのアルファベット文字の配置において、下記を特徴とする配列方法を提供する：
（１）母音＋ｙとｙ以外の子音とを分けてボタンに配置する；及び
（２）子音については、音性上近い文字を一つのボタンに配置する。【０００８】  更に本発明は、複数個のアルファベット文字用ボタンを有する携帯電話において、複数個の該ボタンに母音＋ｙとｙ以外の子音とを分けて配置したことを特徴とする携帯電話を提供する。【０００９】  更にまた、本発明は、複数個のアルファベット文字用ボタンを有する携帯電話において、下記に従ってアルファベット文字を配置したことを特徴とする携帯電話を提供する：
（１）母音＋ｙとｙ以外の子音とを分けてボタンに配置する；及び
（２）子音については、音性上近い文字を一つのボタンに配置する。
【発明の効果】
【００１０】  各国語の言葉の単語の構成は、子音・母音・子音・母音（それぞれ一つの固まり）の順序で成り立っている。従って、母音＋ｙとｙ以外の子音とを分けてボタンに配置し、子音は同じ発音の仲間でまとめて、かつ、それが一単語内で隣り同士になる頻度が低いもの同士を１つのボタンにすれば、文字を捜しやすいし、打ちやすい、そして入力速度があがる；ボタンの入力回数が減る；一単語内で隣り同士になる文字の頻度が少なければ、カーソルを動かさずにすむ；直感的に文字を捜せる；結果的に入力が速くなる；単語の構成を論理的に理解していく学習能力がつく；子音と母音を分けることにより、Ｔ９入が打ちやすくなる；この配置により英語、及び、特殊文字を無視したスペイン語、フランス語に使用するのに便利である；また日本語をローマ字表記する際にも打ちやすい、などの効果がある。
【発明を実施するための最良の形態】
【００１１】  本発明の文字の配置方法は、好ましくは下記の特徴を有する。
（１）母音＋ｙとｙ以外の子音とを分けてボタンに配置する。
（２）子音については、アルファベットの文字の音性の特徴を活かして、音性上近い文字を一つのボタンに配置する。
（３）子音・母音とも、一単語内で隣り同士になる頻度の低い文字同士を一つのボタンに割り当る。
上記（２）及び（３）は、不思議なことに相関関係がある（即ち、（２）及び（３）の一方を満たせば他方も同時に満たされる）ことが見出された。【００１２】  以上（１）〜（３）を考慮した上で、ボタンの数の制限により、音性上近い文字を一つ以上のボタンに分けたり、音声の似ないものを１つのボタンに含めて配置することもある。【００１３】  アルファベット文字を、その音性の特徴から、以下のように分けることができる。
母音＋ｙ
（第１グループ）
ａ；アの音
ｅ；エの音
ｉ、ｙ；イの音
ｕ：ウの音
ｏ；オの音
子音
（第２グループ）
ｂ、ｄ、ｐ；ブ、デュ、プの音
（第３グループ）
ｃ、ｋ、ｑ；クの音
（第４グループ）
ｆ、ｈ；フの音
（第５グループ）
ｇ、ｊ；ジの音
（第６グループ）
ｌ、ｒ；ルの音
（第７グループ）
ｍ、ｎ；ム又はヌの音
（第８グループ）
ｓ；スの音
（第９グループ）
ｔ；テの音
（第１０グループ）
ｖ、ｗ；ヴェ、又はドブレヴェの音
（第１１グループ）
ｘ、ｚ；それ以外の音【００１４】  携帯電話のアルファベット文字は通常、数字２〜９のボタン８個に分けて配置されている（以下、８ボタンタイプと云う）が、場合によっては８個以上、１５個までのボタンに配置することもできる。１ボタンには１〜４個の文字を割り当てるのが好ましい。【００１５】  母音＋ｙから成る第１グループは６個の文字（ａ、ｉ、ｕ、ｅ、ｏ、ｙ）からなるので、これを好ましくは１〜４個、更に好ましくは２個のボタンに振り分ける。例えば、ａ、ｅ、ｏを１つのボタンに、そしてｉ、ｕ、ｙを別の１つのボタンに割り当てることができる。【００１６】  ｙ以外の子音は、上記第２〜１１グループの各グループを１つのボタンに割り当てるのが好ましいが、１０個のグループからなるので、ボタン数の都合上、２個以下の文字から成る上記第４〜１１グループの文字を、他のグループのボタンに振り分けてもよい。【００１７】  日本語、欧米語のいずれの単語も子音・母音・子音・母音の順になっていることが多いので、子音を携帯電話の下段に配列し、母音を上段に配置すれば打ちやすい。【００１８】  アルファベット文字をボタンに振り分ける場合の具体例を以下の表１〜２に示す。Ｉ〜ＸＶ（グループＩ〜ＸＶ）は１つのボタンに配置されるアルファベット文字の群を示す。各群を任意のボタン位置に配置することができるが、子音を携帯電話の下段のボタンに配列し、母音を上段のボタンに配置するのが好ましい。【００１９】
【表１】
2009020851.tif 000003
【００２０】
【表２】
2009020851.tif 000004
【００２１】  表１及び２はアルファベット文字の具体的な分割の態様を示すもので、ボタンの位置を示すものではない。携帯電話の所定のボタン位置にアルファベット文字を配列した具体例を図１〜９に示す。
【実施例】
【００２２】実施例１
「ａｒｉｇａｔｏｕ」のアルファベット文字をａｂｃ順に８個のボタンに配置した現行の携帯電話を用いて通常入力した場合と、本発明の図１（ａ）に示す８ボタン、タイプ１の携帯電話を用いて通常入力した場合とを比較した。
Ａ．現行通常入力の場合
数字２のボタンを一回押し、ａを表記；そのまま、カーソルを動かさずに、数字７のボタンを三回押し、ｒを表記；そのままカーソルを動かさずに、数字４のボタンを三回押し、ｉを表記；一回カーソルを動かして、数字４のボタンを一回押し、ｇを表記；そのまま、カーソルを動かさずに、数字２のボタンを一回押し、ａを表記；そのまま、カーソルを動かさずに、数字８のボタンを一回押し、ｔを表記；そのまま、カーソルを動かさずに、数字６のボタンを三回押し、ｏを表記；そのまま、カーソルを動かさずに、数字の８ボタンを二回押し、ｕを表記して、ａｒｉｇａｔｏｕと表記した。ボタンを押した回数は１５回、カーソルを動かした回数は１回であった。
Ｂ．本発明の携帯電話を使用して入力した場合
数字２のボタンを一回押し、ａを表記；そのまま、カーソルを動かさずに、数字７のボタンを三回押し、ｒを表記；そのまま、カーソルを動かさずに、数字３のボタンを一回押し、ｉを表記；そのまま、カーソルを動かさずに、数字６のボタンを二回押し、ｇを表記；そのまま、カーソルを動かさずに、数字２のボタンを一回押し、ａを表記；そのまま、カーソルを動かさずに、数字の８ボタンを一回押し、ｔを表記；そのまま、カーソルを動かさずに、数字２のボタン（母音キー）を三回押し、ｏを表記；そのまま、カーソルを動かさずに、数字３のボタンを二回押し、ｕを表記して、ａｒｉｇａｔｏｕと表記した。ボタンを押した回数は１４回、カーソルは動かした回数は０回であった。
本発明の携帯電話による入力方法では、現行入力法と比べて、カーソルを動かす回数が１回少なく、ボタンを押す回数も１回少なかった。また、音性上近い文字が一つのボタンに配置されているため、文字を探すのが容易であり、入力時間が短縮された。【００２３】実施例２
「Ｉ  ｔｈｉｎｋ  ｓｏ」を現行の携帯電話を用いて通常入力した場合と、本発明の図１（ａ）に示す８ボタン、タイプ１の携帯電話を用いて通常入力した場合とを比較した。
Ａ．現行入力の場合
実施例１のＡと同様に入力した。ボタンを押した回数は２０回、カーソルを動かした回数は５回であった。
Ｂ．本発明の携帯電話を用いて入力した場合
実施例１のＢと同様に入力した。ボタンを押した回数は１６回、カーソルを動かした回数は２回であった。
本発明の携帯電話による入力方法では、現行入力法と比べて、ボタンを押した回数は４回少なく、カーソルを動かした回数は３回少なかった。また、本発明によると、文字を探すのが容易であり、入力時間が短縮された。
【図面の簡単な説明】
【００２４】
【図１】８ボタンタイプの携帯電話にアルファベット文字を配置した概略図である。
【図２】９ボタンタイプの携帯電話にアルファベット文字を配置した概略図である。
【図３】１０ボタンタイプの携帯電話にアルファベット文字を配置した概略図である。
【図４】１０ボタンタイプの携帯電話にアルファベット文字を配置した概略図である。
【図５】１１ボタンタイプの携帯電話にアルファベット文字を配置した概略図である。
【図６】１２ボタンタイプの携帯電話にアルファベット文字を配置した概略図である。
【図７】１３ボタンタイプの携帯電話にアルファベット文字を配置した概略図である。
【図８】１４ボタンタイプの携帯電話にアルファベット文字を配置した概略図である。
【図９】１５ボタンタイプの携帯電話にアルファベット文字を配置した概略図である。
【図１】
2009020851.tif 000005
【図２】
2009020851.tif 000006
【図３】
2009020851.tif 000007
【図４】
2009020851.tif 000008
【図５】
2009020851.tif 000009
【図６】
2009020851.tif 000010
【図７】
2009020851.tif 000011
【図８】
2009020851.tif 000012
【図９】
2009020851.tif 000013
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
複数個のアルファベット文字用ボタンを有する携帯電話において、
（１）複数個の該ボタンに母音＋ｙとｙ以外の子音とを分けて配置し、１ボタンに１〜４個のアルファベット文字を割り当てること、
（２）ｙ以外の子音については、音性上近い文字を一つのボタンに配置するが、但し、音性上近い文字が２個以下の文字は、ｙ以外の子音が配置されたボタンに振り分けてもよいこと、
を特徴とする携帯電話。
【請求項２】
８〜１５個のアルファベット文字用ボタンを有する請求項１記載の携帯電話。
【請求項３】
ｙ以外の子音について、音性上近い文字が、ｂとｄとｐ、ｃとｋとｑ、ｆとｈ、ｇとｊ、ｌとｒ、ｍとｎ、ｖとｗである、請求項１又は２記載の携帯電話。
【請求項４】
ｂ、ｄ、ｐを１つのボタンに、ｃ、ｋ、ｑを他の１つのボタンに配置した、請求項３記載の携帯電話。
【請求項５】
ｆとｈ、ｇとｊ、ｌとｒ、ｍとｎ、及び／又はｖとｗをそれぞれ１つのボタンに配置した、請求項４記載の携帯電話。
【請求項６】
母音＋ｙを２個のボタンに振り分ける、請求項１〜５のいずれか１項記載の携帯電話。
【請求項７】
ａ、ｅ、ｏを１つのボタンに、ｉ、ｕ、ｙを他の１つのボタンに配置した、請求項６記載の携帯電話。
【請求項８】
携帯電話の複数個のボタンへのアルファベット文字の配列において、下記を特徴とする配列方法：
（１）複数個の該ボタンに母音＋ｙとｙ以外の子音とを分けて配置し、１ボタンに１〜４個のアルファベット文字を割り当てること、
（２）ｙ以外の子音については、音性上近い文字を一つのボタンに配置するが、但し、音性上近い文字が２個以下の文字は、ｙ以外の子音が配置されたボタンに振り分けてもよいこと。
【請求項９】
８〜１５個のアルファベット文字用ボタンを有する請求項７記載の配列方法。
【請求項１０】
ｙ以外の子音について、音性上近い文字が、ｂとｄとｐ、ｃとｋとｑ、ｆとｈ、ｇとｊ、ｌとｒ、ｍとｎ、ｖとｗである、請求項８又は９記載の配列方法。
【請求項１１】
ｂ、ｄ、ｐを１つのボタンに、ｃ、ｋ、ｑを他の１つのボタンに配置する、請求項１０記載の配列方法。
【請求項１２】
ｆとｈ、ｇとｊ、ｌとｒ、ｍとｎ、及び／又はｖとｗをそれぞれ１つのボタンに配置した、請求項１１記載の配列方法。
【請求項１３】
母音＋ｙを２個のボタンに振り分ける、請求項８〜１２のいずれか１項記載の配列方法。
【請求項１４】
ａ、ｅ、ｏを１つのボタンに、ｉ、ｕ、ｙを他の１つのボタンに配置する、請求項１３記載の配列方法。
【手続補正２】
【補正対象書類名】明細書
【補正対象項目名】０００５
【補正方法】変更
【補正の内容】
【０００５】  従来のボタン配列における通常入力においては、日本語、英語、フランス語、スペイン語等の一単語内における隣同士になる文字が、同一ボタンになる頻度が高く、一単語内で一ボタンを一回打ったあと、カーソルを移動して、もう一度同じボタンを打たなければならない。また文字の音性の特徴・子音・母音を無視して配置されていることから、文字が捜しにくく、Ｔ９入力でも、暗記しないと見つけにくい、等の問題があった。
従って、本発明の目的は、アルファベット文字が探しやすく、入力時間が容易な携帯電話におけるアルファベット文字の配列方法を提供することである。
【手続補正３】
【補正対象書類名】明細書
【補正対象項目名】００１２
【補正方法】変更
【補正の内容】
【００１２】  以上（１）〜（３）を考慮した上で、ボタンの数の制限により、音性上近い文字を一つ以上のボタンに分けたり、音性の似ないものを１つのボタンに含めて配置することもある。